(57)【特許請求の範囲】
【請求項１】
使用前のフィルタシートと保護シートが積層した状態で巻装されている第１のフィルタロールと、
使用後のフィルタシートが巻装されている第２のフィルタロールと、
第１のフィルタロールから延びるフィルタシートが折り返される折り返し位置にあり、折り返されたフィルタシートを第２のフィルタロールに送る第３のフィルタロールと、
第１のフィルタロールの近傍に位置して、移動するフィルタシートから保護シートを剥がす剥がし部材と、
剥がされた保護シートを第２のフィルタロールに案内し、さらに、第２のフィルタロールに巻装された使用後のフィルタシートの外側に案内する案内部材と、を備えているフィルタ装置。
【発明の詳細な説明】
【技術分野】
【０００１】
本発明は工場等で使用される空調設備の前面に配設されて油塵や灰塵を取り除くフィルタ装置に関するものである。
【背景技術】
【０００２】
たとえば金属部品の鋳造やメッキ処理、塗装処理等をおこなう工場では、製品製造過程で多様な種類の化学元素を含む油塵や灰塵が発生することから、空調設備（エアコン等）の前面には、当該空調設備から排気されるエア内に含有される油塵や灰塵を捕捉するフィルタ装置が設置されている。
【０００３】
フィルタ装置の形態には様々なものがあるが、その一つの形態として、使用前のフィルタシートが巻装されるフィルタロール、使用後のフィルタシートが巻装される他のフィルタロール、使用前のフィルタシートが巻装されるフィルタロールから延びるフィルタシートが折り返される折り返し位置にあり、折り返されたフィルタシート（使用後のフィルタシート）を他のフィルタロールに送るさらに別途のフィルタロール、といった三種類のフィルタロール間でフィルタシートを移動させる装置を挙げることができる。
【０００４】
二つのフィルタロール間に跨る使用前のフィルタシートを空調設備の排気口の前面に配設しておき、空調設備を一定時間稼働させ、使用前のフィルタシートに油塵や灰塵が付着し、フィルタ機能を奏さない状態となった段階で、たとえば使用後のフィルタシートを巻き取るフィルタロールを回転させてフィルタシートを移動させる。このフィルタシートの移動により、使用後のフィルタシートはフィルタロールに巻き取られ、空調設備の排気口の前面には新たな使用前のフィルタシートが送り出されて配設されることになる。
【０００５】
このフィルタ装置では、フィルタロールに巻装状態の使用前のフィルタシートを容易に設置することができ、さらには、別途のフィルタロールに巻装回収された使用後のフィルタシートをフィルタロールから容易に取り外して廃棄することができる。
【０００６】
しかしながら、フィルタロールに巻装回収された使用後のフィルタシートから油塵や灰塵といった捕捉物が剥がれ落ちる可能性が十分にあり、剥がれ落ちた捕捉物が飛散するのを防止する必要や飛散した捕捉物を清掃する必要が生じ得るといった課題がある。
【０００７】
ここで、フィルタ装置に関する従来が特許文献１〜３に開示されている。
【０００８】
特許文献１には、ロール状の粗塵フィルタを一定の間隔を有するように折り曲げて複数段階に構成した、気体中の固形物除去装置が開示されている。
【０００９】
一方、特許文献２には、フィルタネット、支軸、ベアリングシート、巻き取り軸、ボックスシート、モータからなり、支軸の両端にベアリングシートが枢設され、二つのベアリングシートがボックスシート内に適当な距離を以て配列され、対向する内面に固定されたベアリングシートと対応する高さに設置されて両面に並列に設けられた支軸が上下に交錯してフィルタネットがＳ曲線状に掛けられ、フィルタネットの両面が交叉する状態を呈して油塵を吸収し、並びにＳ軌道に沿って循環する両面のネット孔が灰塵を完全に孔中に付着させる排気処理装置が開示されている。
【００１０】
さらに、特許文献３には、ロータ群によって案内されて空調系のエア内の塵埃を捕捉するジグザグ状に形成されたフィルタと、ロータ群の中のエア流れにおける上流側のロータ群の全ロータをチェーンを介して、また、下流側のロータ群の全ロータをチェーンを介して、それぞれ回動させる駆動源と、からなる自動巻取りフィルタの支持構造が開示されている。
【先行技術文献】
【特許文献】
【００１１】
【特許文献１】特開２００５−２０５４０６号公報
【特許文献２】実用新案登録第３１０１１６９号公報
【特許文献３】実開昭５９−１３１２２１号公報
【発明の概要】
【発明が解決しようとする課題】
【００１２】
特許文献１に開示の固形物除去装置によれば、作業効率を下げることなく、コスト削減をおこなうことが可能であるとしている。また、特許文献２に開示の排気処理装置によれば、灰塵の付着面積が増し、確実な浄化が達成できるとしている。さらに、特許文献３に開示の自動巻取りフィルタの支持構造によれば、巻取り部からの引張力をフィルタが殆ど受けず、したがってフィルタ濾材の強弱に関わらず、如何なるフィルタも巻取ることができ、さらには、チェーンの長さとロータの位置を変えるだけでフィルタ面積を変えることができ、フィルタ設計の自由度を増加できるとしている。
【００１３】
しかしながら、これらの固形物除去装置等によっても、上記する課題、すなわち、フィルタロールに巻装回収された使用後のフィルタシートから油塵や灰塵といった捕捉物が剥がれ落ち、剥がれ落ちた捕捉物が飛散するのを防止する必要や飛散した捕捉物を清掃する必要が生じ得るといった課題を解消することはできない。
【００１４】
本発明は上記する問題に鑑みてなされたものであり、フィルタロールに巻装回収された使用後のフィルタシートから油塵や灰塵といった捕捉物が剥がれ落ちるのを効果的に解消することのできるフィルタ装置を提供することを目的とする。
【課題を解決するための手段】
【００１５】
前記目的を達成すべく、本発明によるフィルタ装置は、使用前のフィルタシートと保護シートが積層した状態で巻装されている第１のフィルタロールと、使用後のフィルタシートが巻装されている第２のフィルタロールと、第１のフィルタロールから延びるフィルタシートが折り返される折り返し位置にあり、折り返されたフィルタシートを第２のフィルタロールに送る第３のフィルタロールと、第１のフィルタロールの近傍に位置して、移動するフィルタシートから保護シートを剥がす剥がし部材と、剥がされた保護シートを第２のフィルタロールに案内し、さらに、第２のフィルタロールに巻装された使用後のフィルタシートの外側に案内する案内部材と、を備えているものである。
【００１６】
本発明によるフィルタ装置は、使用前のフィルタシートに積層されている保護シートをこれらフィルタシートおよび保護シートが移動する過程で使用前のフィルタシートから剥がす剥がし部材を備えている点、および、フィルタロールに巻装回収された使用後のフィルタの外側に剥がされた保護シートを案内する案内部材を備えている点に特徴を有するものである。
【００１７】
ここで、「使用前のフィルタシート」とは、空調設備から排気されるエア中に含有される油塵や灰塵といった捕捉物を捕捉する前のフィルタシートのことであり、「使用後のフィルタシート」とは、捕捉物を捕捉し、付着した多数の捕捉物によってフィルタ機能を十分に発揮できなくなったシートのことを意味している。また、「折り返されたフィルタシート」とは、第２、第３のフィルタロール間にあるフィルタシートであって「使用後のフィルタシート」のことを意味している。なお、第１、第３のフィルタロール間にあるフィルタシートは、厳密には、当該シートに捕捉物が付着する前は「使用前のフィルタシート」であり、捕捉物が付着した状態では「使用後のフィルタシート」となる。したがって、第１、第３のフィルタロール間にあるフィルタシートは、時間的な変化によって使用前のものから使用後のものへ変化する。
【００１８】
使用前のフィルタシートと保護シートが積層した状態で巻装されている第１のフィルタロールと、使用後のフィルタシートが巻装されている第２のフィルタロールは、間隔を置いてたとえば同程度の高さ位置に配設されるのがよい。後述するように、剥がし部材で剥がされた保護シートを水平方向に案内できるからである。
【００１９】
一方、第３のフィルタロールは第１、第２のフィルタロールから所定の高さだけ高い位置に配設されており、第１のフィルタロールから延びたフィルタシートは第３のフィルタロールで折り返され、第２のフィルタロールまで延びてここで巻装回収されるようになっている。
【００２０】
第１、第３のフィルタロール間にある使用前のフィルタシートを空調設備の排気口の前面に設置し、ここで排気口から排気されるエア内に含有される油塵や灰塵を捕捉する。
【００２１】
たとえば、第２のフィルタロールには、作業員が手動にて回転させるハンドルや駆動モータが取り付けられており、ハンドルを回して、もしくは駆動モータを駆動させて第２のフィルタロールを回転させることにより、フィルタシートが移動する。すなわち、第２、第３のフィルタロール間にある使用後のフィルタシートは第２のフィルタロールに巻装回収され、捕捉物の付着によって使用前の状態から使用後の状態に変化した第１、第３のフィルタロール間にあるフィルタシートは第２のフィルタロールで折り返され、第２、第３のフィルタロール間に移動する。さらに、第１、第３のフィルタロール間にあるフィルタシートの移動に伴い、第１のフィルタロールに巻装されていた使用前のフィルタシートと保護シートが積層状態で第３のフィルタロール側へ引き出される。
【００２２】
使用前のフィルタシートと保護シートが積層状態で第３のフィルタロール側へ引き出される際に、第１のフィルタロールの近傍に位置する剥がし部材がフィルタシートと保護シートの間に介在し、フィルタシートと保護シートが剥がし部材を通過する際にフィルタシートから保護シートが剥がされる。
【００２３】
フィルタシートから剥がされた保護シートは案内部材にて第２のフィルタロール側へ案内され、送られる。ここで、「案内部材」としては、剥がし部材の近傍から第２のフィルタロールまで、さらには、第２のフィルタロールの外周まで、間隔を置いて配設された複数のロール部材等が挙げられる。
【００２４】
一方、保護シートが剥がされた使用前のフィルタシートは第３のフィルタロール側へ送られ、第１、第３のフィルタロール間（空調設備の排気口前）に配設される。
【００２５】
フィルタシートから剥がされた保護シートは案内部材にて第２のフィルタロール側へ案内され、第２のフィルタロールで巻装回収された使用後のフィルタシートの外周に案内される。
【００２６】
第２のフィルタロールで巻装回収された使用後のフィルタシートの外周に案内された保護シートが当該使用後のフィルタシートを包囲することになり、保護シートが包囲することによって、使用後のフィルタシートから油塵や灰塵といった捕捉物が剥がれ落ち、剥がれ落ちた捕捉物が飛散するのを抑止することができる。
【発明の効果】
【００２７】
以上の説明から理解できるように、本発明のフィルタ装置によれば、使用前のフィルタシートに積層されている保護シートをこれらフィルタシートおよび保護シートが移動する過程で使用前のフィルタシートから剥がし部材にて剥がし、第２のフィルタロールに巻装回収された使用後のフィルタシートの外側に剥がされた保護シートを案内部材にて案内することにより、保護シートが使用後のフィルタシートを包囲し、使用後のフィルタシートから油塵や灰塵といった捕捉物が剥がれ落ち、剥がれ落ちた捕捉物が飛散するのを防止することができる。
【図面の簡単な説明】
【００２８】
【図１】本発明のフィルタ装置の実施の形態の斜視図である。
【図２】使用前のフィルタシートと保護シートの積層体を示した模式図である。
【図３】図１のIII矢視図であってフィルタ装置の縦断面図である。
【発明を実施するための形態】
【００２９】
以下、図面を参照して本発明のフィルタ装置の実施の形態を説明する。なお、図示するフィルタ装置は、ハンドルを手動にて回してフィルタシートを移動させる形態であるが、駆動モータにて第２のフィルタロールを回転させてフィルタシートを移動させる形態であってもよい。
【００３０】
（フィルタ装置の実施の形態）
図１は本発明のフィルタ装置の実施の形態の斜視図であり、図２は使用前のフィルタシートと保護シートの積層体を示した模式図であり、図３は図１のIII矢視図であってフィルタ装置の縦断面図である。
【００３１】
図示するフィルタ装置１０は、工場等で使用される比較的大型の空調設備（エアコンＡＣ）の排気口ＡＣ１の前面に配設され、排気口ＡＣ１から排気されたエア中に含有される油塵や灰塵といった捕捉物Ｄをフィルタにて捕捉し、清浄されたエアを工場等空間内に提供するための装置である。
【００３２】
フィルタ装置１０は、使用前のフィルタシートＦ１とビニールシート等からなる保護シートＰが積層してなるシート積層体Ｕ（図２参照）が巻装されている第１のフィルタロール１と、使用後のフィルタシートＦ２が巻装されている第２のフィルタロール２と、第１のフィルタロール１から延びるフィルタシートＦ１が折り返される折り返し位置にあり、折り返されたフィルタシートＦ２を第２のフィルタロール２に送る第３のフィルタロール３と、を有している。さらに、第１のフィルタロール１の近傍に位置して、移動するフィルタシートＦ１から保護シートＰを剥がす剥がし部材４と、剥がされた保護シートＰを第２のフィルタロール２に案内し、さらに、第２のフィルタロール２に巻装された使用後のフィルタシートＦ２の外側に案内する案内部材５と、第１、第２のフィルタシートＦ１，Ｆ２の一部と第３のフィルタロール３を収容するフィルタボックス６と、を有している。
【００３３】
フィルタボックス６には多数の通気口６ａが設けてあり、図３で示すように、エアコンＡＣから提供されたエア中に含有される油塵や灰塵といった捕捉物Ｄを第１のフィルタシートＦ１で捕捉し、清浄されたエアが通気口６ａを介して排気される（Ｚ方向）。
【００３４】
図１で示すように、第２のフィルタロール２にはハンドル２ａが取り付けられており、ハンドル２ａを手動で回すことにより（Ｘ１方向）、第２、第３のフィルタロール２，３間にあった使用後のフィルタシートＦ２が第２のフィルタロール２側に移動し（Ｙ１方向）、第２のフィルタロール２の周囲に使用後のフィルタシートＦ２が巻装回収される（Ｘ２方向）。
【００３５】
また、使用後のフィルタシートＦ２の移動に伴い、第１、第３のフィルタロール１，３間にあったフィルタシートＦ１が第３のフィルタロール３側に移動し（Ｙ２方向）、第３のフィルタロール３の回転によって（Ｘ４方向）フィルタシートＦ１が折り返される（Ｙ３方向）。
【００３６】
さらに、フィルタシートＦ１の移動に伴い、第１のフィルタロール１が回転し（Ｘ３方向）、第１のフィルタロール１に巻装されていたシート積層体Ｕが第３のフィルタロール３側に引き出される。
【００３７】
図３で示すように、シート積層体Ｕが引き出されると、第１のフィルタロール１の近傍に配設されていて第１のフィルタロール１に向かって先鋭な剥がし部材４により、シート積層体Ｕは使用前のフィルタシートＦ１と保護シートＰに分離される。
【００３８】
図３で示すように、分離された使用前のフィルタシートＦ１は第３のフィルタロール３側に移動する（Ｒ２方向）。
【００３９】
一方、分離された保護シートＰは、第２のフィルタロール２側に案内される（Ｒ１方向）。具体的には、剥がし部材４の近傍から第２のフィルタロール２まで、さらには、第２のフィルタロール２の外周まで、間隔を置いて配設された複数の案内ロール５（案内部材）で案内される（Ｒ１方向）。
【００４０】
使用後のフィルタシートＦ２の外周に案内された保護シートＰは、第２のフィルタロール２に巻装回収された使用後のフィルタシートＦ２を包囲することになる。このように保護シートＰによって使用後のフィルタシートＦ２が包囲されることにより、当該使用後のフィルタシートＦ２から油塵や灰塵といった捕捉物Ｄが剥がれ落ち、剥がれ落ちた捕捉物Ｄが飛散するのを効果的に解消することができる。
【００４１】
フィルタ装置１０を一定期間使用し、使用前のフィルタシートＦ１に多数の捕捉物Ｄが付着してフィルタ機能が十分に発揮できなくなった段階で、図１で示すようにフィルタシートＦ１，Ｆ２を移動させ（Ｙ２方向、Ｙ１方向）、使用前のフィルタシートＦ１をエアコンＡＣの排気口ＡＣ１の前面に配設する。
【００４２】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００４３】
１…第１のフィルタロール、２…第２のフィルタロール、３…第３のフィルタロール、４…剥がし部材、５…案内部材（案内ロール）、６…フィルタボックス、６ａ…通気口、１０…フィルタ装置、Ｆ１…使用前のフィルタシート（フィルタシート）、Ｐ…保護シート、Ｕ…シート積層体、Ｆ２…使用後のフィルタシート（フィルタシート）、ＡＣ…空調設備（エアコン）、Ｄ…捕捉物
【図１】
0006365485.tif 000002
【図２】
0006365485.tif 000003
【図３】
0006365485.tif 000004